(57)【要約】【課題】同色のトナーカートリッジが複数個装着されている場合に、ユーザを煩わせることなく効率的に、品質が保証された品でないトナーカートリッジの使用を防止することのできる画像形成装置を提供する。【解決手段】同色のトナーを収容する複数個の現像ユニット６１１が着脱可能に装着される現像手段６１を備える画像形成装置２が、少なくとも、前記現像手段６１に装着される各現像ユニット６１１が品質が保証された品であるか否かに関する情報を含む同定情報を記憶する記憶手段５４と、前記記憶手段５４に記憶された同定情報に基づいて、画像形成に使用する前記現像ユニット６１１を選択する選択手段５１とを有する。【選択図】  図１
2005292771.tif 000002
【特許請求の範囲】
【請求項１】
同色のトナーを収容する複数個の現像ユニットが着脱可能に装着される現像手段を備える画像形成装置であって、
少なくとも、前記現像手段に装着される各現像ユニットが品質が保証された品であるか否かに関する情報を含む同定情報を記憶する記憶手段と、
前記記憶手段に記憶された同定情報に基づいて、画像形成に使用する前記現像ユニットを選択する選択手段とを有する
ことを特徴とする画像形成装置。
【請求項２】
請求項１において、
前記選択手段が、前記同定情報に基づく現像ユニットの選択時に、品質が保証された品である前記現像ユニットを優先して選択する
ことを特徴とする画像形成装置。
【請求項３】
請求項１あるいは請求項２において、
前記選択手段が品質が保証された品である前記現像ユニットを選択した際には、前記現像手段に品質が保証された品でない現像ユニットが装着されている場合にも、品質が保証された品でない現像ユニットが装着されている旨の警告を行なわない
ことを特徴とする画像形成装置。
【請求項４】
請求項１乃至請求項３のいずれかにおいて、
前記記憶手段が記憶する同定情報に、前記現像ユニットのリサイクル回数の情報が含まれ、
前記選択手段が、前記同定情報に基づく現像ユニットの選択時に、前記リサイクル回数が少ない前記現像ユニットを優先して選択する
ことを特徴とする画像形成装置。
【請求項５】
請求項１乃至請求項４のいずれかにおいて、更に、
前記現像ユニットが備えるメモリに格納された情報に基づいて、前記記憶手段に前記同定情報を設定する設定手段を有する
ことを特徴とする画像形成装置。
【請求項６】
請求項５において、
前記設定手段は、前記画像形成装置の電源投入時または前記現像ユニットの装着時に、前記同定情報を設定する
ことを特徴とする画像形成装置。
【発明の詳細な説明】
【技術分野】
【０００１】
本発明は、電子写真技術を用いて画像を形成するプリンタ、ファクシミリ、複写機などの画像形成装置に関し、特に、同色のトナーカートリッジが複数個装着できる場合に、品質が保証された品でないトナーカートリッジの使用を極力防止することのできる画像形成装置に関する。
【背景技術】
【０００２】
一般に、カラープリンタなどに設けられる電子写真技術を用いて画像を形成する画像形成装置は、画像データに応じて静電潜像が形成される像担持体と、像担持体の外周面を帯電させる帯電ユニットと、帯電された像担持体の外周面を画像データに応じて露光して静電潜像を形成する露光ユニットと、静電潜像に現像剤であるトナーを供給してトナー像に現像する現像装置と、トナー像を転写対象の媒体に転写させる転写ユニットとを有する。
【０００３】
そして、カラー印刷が可能な画像形成装置の場合には、通常、現像装置がカラートナーを収容する複数のトナーカートリッジを着脱可能に保持し、現像タイミングに対応して適切なトナーカートリッジが像担持体に近接させられる。この場合、複数のトナーカートリッジには、複数色のカラートナー、例えば４色（イエローＹ、マゼンタＭ、シアンＣ、ブラックＫ）のトナーがそれぞれ納められており、各色一つずつのトナーカートリッジが備えられている。また、モノクロ印刷の画像形成装置の場合には、一般に、ブラックＫの一つのトナーカートリッジのみが備えられている。従って、従来の画像形成装置においては、通常、同色のトナーカートリッジが複数個装着されることはなかった。
【０００４】
一方、トナーカートリッジには、その装着によりプリンタなどの画像形成装置が本来の性能を発揮できることが保証されているトナーカートリッジ、即ち、画像形成装置の製造元等が製造・販売しているトナーカートリッジと、そうでないトナーカートリッジ、即ち、画像形成装置の製造元が製造・販売に全く関与していないトナーカートリッジがある。以下、前者のトナーカートリッジを品質が保証された品と呼び、後者のトナーカートリッジを画像形成装置の製造元が品質を確認していない品と呼ぶこととする。
【０００５】
本来、画像形成装置には品質が保証された品を装着して使用すべきであるが、画像形成装置の製造元が品質を確認していないカートリッジも販売されていることから、ユーザが品質を確認していない品を装着して使用する場合もある。かかる場合には、装着された画像形成装置の性能を十分に発揮できないことが多く、また、機器の劣化や故障を早めてしまうことにもなる。そこで、従来から、品質を確認していない品を使用しないようにする技術が提案されている。
【０００６】
例えば、下記特許文献１では、装着されているトナーカートリッジが品質を確認していない品であることが判明すると故意に印刷性能を低下させるという処理が提案されている。また、下記特許文献２では、トナーカートリッジが品質を確認していない品であることが判明すると、印刷を停止する、あるいは警告を発するという処理がなされることが提案されている。
【特許文献１】特開平５−２２４４７９号公報
【特許文献２】特開２０００−２４６９２１号公報
【発明の開示】
【発明が解決しようとする課題】
【０００７】
以上説明したように、品質を確認していない品の使用を防止する技術が提案されているが、前述の通り、通常、画像形成装置に複数の同色トナーカートリッジが装着されることはなかったので、品質が保証された品と品質が確認されていない品が混在した複数の同色トナーカートリッジが装着された場合に、どのように対処するかについては提案されていなかった。
【０００８】
また、上記複数の同色トナーカートリッジが装着された場合に、前記従来の方法で対処すると、一つでも品質が確認されていない品のトナーカートリッジがあると印刷停止や性能低下という対応となり、同色のトナーカートリッジが全て品質が保証された品でないと良好な印刷ができなかったり、頻繁に警告が出るという結果となって、ユーザにとって効率的でなく煩わしいという問題があった。
【０００９】
そこで、本発明の目的は、同色のトナーカートリッジが複数個装着されている場合に、ユーザを煩わせることなく効率的に、品質が保証されているトナーカートリッジの使用をすることのできる画像形成装置を提供することである。
【課題を解決するための手段】
【００１０】
上記の目的を達成するために、本発明の一つの側面は、同色のトナーを収容する複数個の現像ユニットが着脱可能に装着される現像手段を備える画像形成装置が、少なくとも、前記現像手段に装着される各現像ユニットが品質が保証されている品であるか否かに関する情報を含む同定情報を記憶する記憶手段と、前記記憶手段に記憶された同定情報に基づいて、画像形成に使用する前記現像ユニットを選択する選択手段とを有することである。従って、本発明によれば、同色の現像ユニットを複数装着する場合においても、同定情報に基づいて、適切でない現像ユニットの使用防止を図ることができる。
【００１１】
更に、上記の発明において、その好ましい態様は、前記選択手段が、前記同定情報に基づく現像ユニットの選択時に、品質が保証された品である前記現像ユニットを優先して選択することを特徴とする。これにより、品質が確認されていない品の使用を極力防止でき、性能低下や機器劣化を防ぐことができる。
【００１２】
更に、上記の発明において、好ましい態様は、前記選択手段が品質が保証された品である前記現像ユニットを選択した際には、前記現像手段に品質が保証された品でない現像ユニットが装着されている場合にも、品質が保証された品でない現像ユニットが装着されている旨の警告を行なわないことを特徴とする。これにより、ユーザの煩わしさを軽減することができる。
【００１３】
また、上記の発明において、別の態様は、前記記憶手段が記憶する同定情報に、前記現像ユニットのリサイクル回数の情報が含まれ、前記選択手段が、前記同定情報に基づく現像ユニットの選択時に、前記リサイクル回数が少ない前記現像ユニットを優先して選択することを特徴とする。
【００１４】
また、上記の発明において、好ましい態様は、更に、前記現像ユニットが備えるメモリに格納された情報に基づいて、前記記憶手段に前記同定情報を設定する設定手段を有することを特徴とする。これにより、現像ユニットの選択に用いられる同定情報が自動的に設定され、ユーザの手間がかからない。
【００１５】
本発明の更なる目的及び、特徴は、以下に説明する発明の実施の形態から明らかになる。
【発明を実施するための最良の形態】
【００１６】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１７】
図１は、本発明を適用した画像形成装置であるプリンタの実施の形態例に係る構成図である。図１に示すプリンタ２が本発明を適用した画像形成装置であり、ホストコンピュータ１からの印刷要求等に基づいて、所定の印刷媒体に対して画像の形成を行なう装置である。かかるプリンタ２は、同色のトナーカートリッジ６１１（現像ユニット）を複数装着できる構成となっており、それらの中から品質が保証された品を優先して使用し、極力、画像形成装置の製造元が品質を確認していないカートリッジの使用を防止すると共に、ユーザの煩わしさを解消しようとするものである。
【００１８】
図１に示すホストコンピュータ１は、プリンタ２に対して印刷要求を行なうホスト装置であり、ユーザ操作等に基づいて画像データと制御コマンドを含む印刷データをプリンタ２に送信する。なお、ホストコンピュータ１は、所謂パーソナルコンピュータなどで構成することができる。ホストコンピュータ１内のプリンタドライバ３は、ホストコンピュータ１内のアプリケーション（図示せず）などからのデータを受け取って、プリンタ２に送信する上記印刷データを生成する部分である。なお、プリンタドライバ３は、前記機能に関する処理をホストコンピュータ１に実行させるプログラムである。
【００１９】
図１に示すように、プリンタ２は、コントローラ部４、エンジン制御部５、エンジン６、及び操作部７などで構成される。コントローラ部４は、前記ホストコンピュータ１から送信される印刷データを受信し、当該データに含まれる制御コマンドを解釈すると共に、当該データに含まれる画像データに対して所定の処理を施してエンジン６側へ提供するデータを生成する。図示していないが、コントローラ部４には、ＣＰＵやメモリなどが備えられており、当該メモリには上記生成したデータなどが格納される。また、コントローラ部４は、上記メモリに所定量のデータが生成された時点で、エンジン制御部５に対して現像を開始する旨の情報を送信する。
【００２０】
次に、エンジン制御部５は、図１に示されるように、ＣＰＵ５１（選択手段、設定手段）、ＲＯＭ５２、ＲＡＭ５３、本体側メモリ５４（記憶手段）、及びＩ／Ｆ５５等で構成される。ＣＰＵ５１は、エンジン６の各部を制御する部分であるが、プリンタ２に装着されているトナーカートリッジ６１１の同定情報を生成して本体側メモリ５４に格納（設定）するという処理、及びその同定情報に基づいて画像形成時に用いるトナーカートリッジ（位置）を決定（選択）するという処理を実行する。これら同定情報の設定処理と同定情報に基づくトナーカートリッジ６１１の選択処理が本ＣＰＵ５１の特徴であり、具体的な内容については後述する。なお、同定情報とは、ここでは、品質が保証された品であるかそれとも品質を確認していない品であるかなど、その製品の製造元や製造過程に関する情報のことを意味するものとする。例えば、トナーカートリッジ６１１の同定情報としては、品質が保証された品／他社品（品質を確認していない品）を区別する情報や、標準品（新品）／リサイクル品（製造元等で回収された容器にトナーを詰めたもの）を区別する情報などがある。
【００２１】
前記ＲＯＭ５２は、プリンタ２を制御するための各種プログラムを記憶し、また、前記ＲＡＭ５３は、プリンタ２に関する各種情報を一時的に記憶する。次に、本体側メモリ５４は、後述する現像装置６１の各トナーカートリッジ６１１に関する情報等を格納するデータ格納手段である。具体的には、現像装置６１におけるトナーカートリッジ６１１の有無情報や後述するトナーカートリッジ側メモリ６１２に書き込まれたトナーの色情報、消費量情報等を格納するが、当該本体側メモリ５４では、更に、現像装置６１におけるトナーカートリッジ６１１の位置（例えば、Ａ、Ｂ、Ｃ、Ｄ）とその位置に装着されているトナーカートリッジ６１１の同定情報を対応付けた同定情報テーブル５４１を格納しており、この点が本プリンタ２の特徴の一つである。なお、同定情報テーブル５４１の具体的な内容については後述する。
【００２２】
また、Ｉ／Ｆ５５は、前記ＣＰＵ５１とトナーカートリッジ側メモリ６１２とのインターフェースであり、ＣＰＵ５１がトナーカートリッジ側メモリ６１２に書き込まれた前記情報を読み出して前記本体側メモリ５４に書き込む際などに用いられる。
次に、エンジン６は、帯電ユニット、露光ユニット、現像装置、転写ユニット等で構成されるが、図１においては、現像装置６１（現像手段）とその他ユニット６２という区分で表現している。図２は、本プリンタ２のエンジン６部分の機構を中心に示した構成図である。
【００２３】
感光体ドラム６２１は、円筒状の導電性基材とその外周面に形成された感光層を有し、中心軸に対して回転可能であり、矢印で示されるように時計方向に回転する。帯電ユニット６２２は、感光体ドラム６２１を帯電し、露光ユニット６２３は内蔵するレーザやＬＥＤアレイなどの光源からのビームを帯電された感光体ドラム６２１に照射して静電気による潜像を形成する。露光ユニット６２３のビーム照射は、ホストコンピュータ１から入力される画像情報に基づいて変調された駆動信号により制御される。
【００２４】
現像装置６１は、現像材であるトナーを収容するトナーカートリッジ６１１Ａ〜６１１Ｄが着脱可能に装着される装着部６１４Ａ〜６１４Ｄを有し、中心軸６１３に対して回転可能な現像ロータリーである。現像装置６１を回転させて必要なトナーカートリッジ６１１Ａ〜６１１Ｄを感光体ドラム６２１に近接させ、現像材を潜像が形成された感光体ドラム６２１に供給することで、潜像が現像材による像に現像される。
【００２５】
なお、現像装置６１の装着部６１４Ａ〜６１４Ｄには、ブラックＫ、シアンＣ、マゼンタＭ、イエローＹの現像材をそれぞれ収容するトナーカートリッジ６１１Ａ〜６１１Ｄを装着するなど、様々な色のトナーを組み合わせて装着することもできるが、本実施の形態例では、装着されている全てのトナーカートリッジ６１１Ａ〜６１１ＤにブラックＫのトナーが収容されているものとする。また、これらトナーカートリッジ６１１Ａ〜６１１Ｄの前記同定情報は必ずしも同一ではなく、例えば、“品質が保証された品”のトナーカートリッジと“品質が確認されていない品”のトナーカートリッジが混在することもある。像形成時には、適切なトナーカートリッジ６１１が選択され、そのトナーカートリッジ６１１が感光体ドラム６２１に近接させられる。なお、トナーカートリッジ６１１Ａ〜６１１Ｄなどに付されているＡ〜Ｄは、現像装置６１におけるトナーカートリッジ６１１の装着位置を識別する記号である。
【００２６】
一次転写ユニット６２６は、感光体６２１に形成されたトナー像を中間転写体６２７に転写する。中間転写体６２７は、例えばＰＥＴフィルムの表面にアルミ蒸着層を形成しその表面に半導電塗料を形成したエンドレスのベルトであり、感光体ドラム６２１と同じ周速度で回転駆動される。そして、二次転写ユニット６２８が、中間転写体６２７に形成されたトナー像を紙などの印刷媒体に転写し、定着ユニット６２９が、印刷媒体上に転写されたトナー像を媒体に溶着させて永久像とし、その印刷媒体はプリンタ２外に排出される。
【００２７】
クリーニングユニット６２４は、一次転写ユニット６２６と帯電ユニット６２２との間に設けられ、感光体ドラム６２１の表面に当接されるクリーニングブレード６２５を有し、一次転写された後に感光体ドラム６２１上に残存する現像材（トナー）がクリーニングブレード６２５により除去される。
【００２８】
また、装着されたトナーカートリッジ６１１の状態をプリンタ２が認識できるように、各トナーカートリッジ６１１には、現像材の色情報と残量情報等を記憶する記憶媒体、例えば非接触型不揮発性メモリ、であるトナーカートリッジ側メモリ６１２Ａ〜６１２Ｄが設けられている。そして、電源が立ち上がった後や、トナーカートリッジ６１１が現像装置６１に装着された後に、そのトナーカートリッジ側メモリ６１２の情報が読み出される。また、現像後にトナーカートリッジ６１１のトナーカートリッジ側メモリ６１２の残量情報が更新される。なお、このトナーカートリッジ側メモリ６１２には、そのトナーカートリッジ６１１の製造元やリサイクル回数など同定情報が含まれていても良い。
【００２９】
図１に示す操作部７は、ユーザがプリンタ２を操作するための部分であり、表示パネル７１（図２参照）や操作ボタン等で構成される。当該操作部７では、プリンタ２における印刷条件の設定など各種の設定行為が可能である。
【００３０】
以上説明したような構成を有する本実施の形態例に係るプリンタ２の作用について以下説明する。現像装置６１にトナーカートリッジ６１１がそれぞれ装着されると、その装着状態が前述したトナーカートリッジ側メモリ６１２の情報読み出しにより認識され、プリンタ２は、印刷準備が完了する。その後、印刷時には、ホストコンピュータ１から所定の言語で記述された前記印刷データを供給され、感光体ドラム６２１への静電潜像の形成、対応するトナーカートリッジ６１１による現像、一次転写ユニット６２６による中間転写体６２７へのトナー像の転写が行なわれる。そして、さらに、二次転写ユニット６２８により紙などの印刷媒体に転写され、定着ユニット６２９により定着されて、プリンタ２外に排出される。主にこのような内容でプリンタ２は動作するが、本プリンタ２では、印刷処理前の準備段階における、各トナーカートリッジ６１１の前記同定情報の生成及び設定処理と、印刷処理時における同定情報に基づいたトナーカートリッジ６１１の選択（決定）処理に特徴があり、以下、これらの点について具体的に説明する。
【００３１】
まず、上記同定情報の生成及び設定処理については、３つの方法で行うことができる。一つ目の方法は、前述したトナーカートリッジ側メモリ６１２にそのトナーカートリッジ６１１の同定情報が書き込まれている場合であり、プリンタ２の電源投入時又はトナーカートリッジ６１１の装着時に、プリンタ２により自動的に上記同定情報が読み出されて設定処理が行われる。具体的には、プリンタ２の電源投入時又はトナーカートリッジ６１１の装着時に、ＣＰＵ５１がＩ／Ｆ５５を介して各トナーカートリッジ側メモリ６１２Ａ〜６１２Ｄから上記同定情報を読み出し、本体側メモリ５４に格納された前記同定情報テーブル５４１の内容を更新する処理を行う。
【００３２】
図３は、前記同定情報テーブル５４１の内容を例示した図である。図３の（Ａ）は、同定情報として品質が保証された品であるか否かという情報だけを有する場合であり、図３の（Ｂ）は、その他にリサイクル回数も有する場合を例示している。ここで、リサイクル品とは、使用済みのトナーカートリッジの容器が製造元などに回収され、その後、トナーが再充填されて再び製品化されたものであり、リサイクル回数とは、リサイクル品とされた回数のことである。図の（Ａ）、（Ｂ）共に、左側の欄は、前述した現像装置６１におけるカートリッジの装着位置を表しており、その右側の欄は、各装着位置に装着されているトナーカートリッジ６１１の同定情報を表している。例えば、図の（Ａ）では、現像装置６１のＡという位置に装着されているトナーカートリッジ６１１Ａは品質が保証された品でないことを表している。また、図の（Ｂ）では、現像装置６１のＣという位置に装着されているトナーカートリッジ６１１Ｃは品質が保証された品であり、リサイクル回数が２回であることを表している。
【００３３】
この場合には、前述したトナーカートリッジ側メモリ６１２にトナーカートリッジ６１１の製造元やリサイクル回数の情報が格納されており、電源投入時又はトナーカートリッジ６１１の装着時にＣＰＵ５１がそれらの情報を読み出す。そして、製造元の情報から品質が保証された品であるか品質が確認されていない品であるかを判断し、図３の「品質が保証された品情報」を生成して本体側メモリ５４に設定する。また、読み出されたリサイクル回数の情報は、そのまま図３の（Ｂ）の「リサイクル回数」として本体側メモリ５４に設定される。このように、一つ目の方法では、トナーカートリッジ側メモリ６１２に格納されている情報から直接的に同定情報が生成されて設定される。
【００３４】
また、前記例では、トナーカートリッジ６１１の装着位置と同定情報を対応させたテーブル５４１としたが、各トナーカートリッジ６１１が有する識別番号（識別情報）と同定情報を対応させたものとし、当該識別番号とその識別番号のトナーカートリッジ６１１が装着されている位置との対応関係については、他のテーブルで保持するようにしてもよい。即ち、本体側メモリ５４に、その時点で各装着位置に装着されているトナーカートリッジ６１１の同定情報を認識することができる情報が格納されていればよい。
【００３５】
次に、二つ目の方法は、トナーカートリッジ側メモリ６１２に直接、同定情報が格納されていないような場合に、プリンタ２がその他の情報に基づいて、品質が保証された品であるか否か等の判定を行ない、その判定に基づいて同定情報を生成、設定する方法である。例えば、通常、トナーカートリッジ側メモリ６１２では、情報ごとに格納（記憶）する領域が定められており、それが品質が保証された品と品質が確認されていない品とでは異なる場合があるので、ＣＰＵ５１が、トナーカートリッジ側メモリ６１２の所定領域に特定の情報（例えば、トナー残量）が記憶されているか否かをチェックし、それにより品質が保証された品であるか否かを判定することができる。また、トナーカートリッジ６１１のトナー充填可能量と実際のトナー消費量との関係から新品であるかリフィル品であるかを判定する方法などもとることができる。このように、判定された結果に基づく同定情報は、一つ目の方法の場合と同様に本体側メモリ５４内の同定情報テーブル５４１に設定される。
【００３６】
また、三つ目の方法は、プリンタ２のユーザが同定情報テーブル５４１の情報を設定する方法である。この方法は、ユーザがプリンタ２に装着されているトナーカートリッジ６１１が品質が保証された品であるか否かなどを認知している場合であり、前述した操作部７やホストコンピュータ１における操作により行なう。具体的には、例えば、操作部７に同定情報設定用のインターフェースが用意され、そのインターフェースに基づくユーザの入力に従って、ＣＰＵ５１が同定情報テーブル５４１の情報を設定する。また、ホストコンピュータ１側のプリンタドライバ３が同定情報設定用の画面を表示し、その画面に対するユーザの入力情報が、プリンタ２側に送信されて、その情報に従ってＣＰＵ５１が同定情報テーブル５４１の情報を設定するようにしてもよい。
【００３７】
以上説明したように、本プリンタ２においては、いくつかの方法により随時各カートリッジ位置の同定情報が更新され、同定情報テーブル５４１の内容が常に最新のものに保持される。そして、この同定情報テーブル５４１の情報が以下に説明する印刷実行時におけるトナーカートリッジ６１１の選択処理に利用される。なお、上述した３つのトナータイプの設定方法は、必ずしも全てを兼ね備えている必要はなく、いずれかの1つ以上の方法を備えていればよい。
【００３８】
次に、印刷処理時における同定情報に基づいたトナーカートリッジ６１１の選択（決定）処理について説明する。図４は、当該トナーカートリッジ６１１の選択処理の内容を例示したフローチャートである。前述の通り、印刷実行時には、ホストコンピュータ１から印刷データがプリンタ２に送信され、当該印刷データに基づきコントローラ部４においてエンジン６用のデータが生成される。そして、コントローラ部４において所定量の前記データが生成された時点で、エンジン制御部５に対して印刷実行開始の指示が与えられる。かかる指示を受けて、エンジン制御部５は印刷動作を開始すべくエンジン６の各部に対して制御を開始するが、その中で、前記トナーカートリッジ６１１の選択処理も行われる。
【００３９】
図４に戻って、当該選択処理が開始されると、まず、ＣＰＵ５１が本体側メモリ５４にアクセスし、同定情報テーブル５４１を参照して品質が保証された品のトナーカートリッジ６１１が装着されているか否かをチェックする（ステップＳ１１）。具体的には、例えば、図３の（Ａ）に示した同定情報テーブル５４１の場合には、「品質が保証された品情報」が“Ｙｅｓ”である「カートリッジ位置」が有るか否かがチェックされる。
【００４０】
その結果、品質が保証された品のカートリッジがあると判定されると（ステップＳ１１のＹｅｓ）、ＣＰＵ５１は、品質が保証された品のトナーカートリッジ６１１にトナーが有るか否かをチェックする（ステップＳ１２）。具体的には、各トナーカートリッジ側メモリ６１２に格納されるトナー残量に関する情報から判断する。図３の（Ａ）に示した例の場合には、品質が保証された品が装着されているＣ及びＤのカートリッジ位置のトナーカートリッジ６１１Ｃ及び６１１Ｄのトナー残量がチェックされる。その結果、品質が保証された品のトナーカートリッジ６１１にトナーが有れば（ステップＳ１２のＹｅｓ）、その品質が保証された品のトナーカートリッジ６１１を今回の印刷に使用するカートリッジとして選択する（ステップＳ１３）。
【００４１】
図３の（Ａ）に示した例の場合に、カートリッジ位置Ｃに装着されているトナーカートリッジ６１１Ｃにトナーが有り、カートリッジ位置Ｄに装着されているトナーカートリッジ６１１Ｄにトナーが無ければ、トナーカートリッジ６１１Ｃが選択されることになる。また、この例においてトナーカートリッジ６１１Ｃとトナーカートリッジ６１１Ｄの両方にトナーが有る場合のように、複数のトナーカートリッジ６１１にトナーが有る場合には、ステップＳ１３において、所定の基準により一つのトナーカートリッジ６１１が選択される。例えば、製造日の最も古いものを選択するという方法や、トナー残量が最も多いものを選択するという方法などが用いられる。
【００４２】
一方、ステップＳ１２において、トナーが有るカートリッジが無い場合には、即ち、装着されている品質が保証された品のトナーカートリッジ６１１の全てがトナー無しの場合には（ステップＳ１２のＮｏ）、ＣＰＵ５１は、トナーが無い旨をユーザに報告する（ステップＳ１４）。具体的には、操作部７の表示パネル７１にトナー無しの表示を行うなどする。
【００４３】
ステップＳ１１に戻って、現像装置６１に品質が保証された品のトナーカートリッジ６１１が無い場合には（ステップＳ１１のＮｏ）、ＣＰＵ５１は、現像装置６１にトナーが有るカートリッジがあるか否かをチェックする（ステップＳ１５）。かかるチェックは、前述のとおり、トナーカートリッジ側メモリ６１２のトナー残量情報に基づいて行なわれる。
【００４４】
その結果、トナーの有るカートリッジがあれば（ステップＳ１５のＹｅｓ）、ＣＰＵ５１は、当該トナーカートリッジ６１１を使用するトナーカートリッジとして選択し、合わせて、品質が確認されていない品のトナーカートリッジを使用している旨の報告をユーザに行なう（ステップＳ１６）。具体的には、例えば、操作部７の表示パネル７１に品質が確認されていない品の使用である旨を表示してユーザに警告する。なお、かかる警告は、印刷実行前、実行中、実行後のいずれのタイミングで行ってもよい。また、ステップＳ１３の場合と同様に選択できるカートリッジが複数ある場合には、所定の基準により、一つのトナーカートリッジ６１１が選択される。
【００４５】
一方、トナーの有るカートリッジが無ければ（ステップＳ１５のＮｏ）、ＣＰＵ５１は、トナーが無い旨をユーザに報告する（ステップＳ１４）。具体的には、操作部７の表示パネル７１にトナー無しの表示を行うなどする。
【００４６】
以上説明したような内容でトナーカートリッジ６１１の選択処理が実行され、トナーカートリッジ６１１が選択された場合には（ステップＳ１３及びＳ１６）、その選択されたトナーカートリッジ６１１が感光体ドラム６２１に近接させられて現像が行われる。なお、このトナーカートリッジの選択処理は、ＲＯＭ５２に格納されたプログラムに従ってＣＰＵ５１が処理を実行することによってなされる。
【００４７】
次に、以上図４に基づいて説明したトナーカートリッジ６１１の選択処理（方法（１））と若干異なる選択処理（方法（２））について説明する。本プリンタ２において、どちらの処理方法を用いても構わない。図５は、方法（２）によるトナーカートリッジ６１１の選択処理を例示したフローチャートである。方法（２）では、まず、プリンタ２の現像装置６１に、品質が保証された品でありトナーの有るトナーカートリッジ６１１があるか否かがチェックされる（ステップＳ２１）。具体的には、ＣＰＵ５１が、同定情報テーブル５４１を参照し、品質が保証された品のトナーカートリッジ６１１が装着されていれば、そのトナー残量をチェックする。
【００４８】
その結果、品質が保証された品でありトナーの有るトナーカートリッジ６１１があると判定されれば（ステップＳ２１のＹｅｓ）、そのカートリッジが印刷に使用するトナーカートリッジ６１１として選択される（ステップＳ２２）。なお、選択対象となるカートリッジが複数存在する場合には、前述の通り、所定の基準に基づいて、一つのカートリッジが選択される。
【００４９】
一方、品質が保証された品でありトナーの有るトナーカートリッジ６１１がないと判定されれば（ステップＳ２１のＮｏ）、ＣＰＵ５１は、現像装置６１に装着されているトナーカートリッジ６１１の中でトナーの有るカートリッジがあるか否かをチェックする（ステップＳ２３）。これにより、品質が確認されていない品のトナーカートリッジにトナーが有るか否かがチェックされることとなる。
【００５０】
かかるチェックの結果、トナーの有るカートリッジがあれば（ステップＳ２３のＹｅｓ）、ＣＰＵ５１は、当該トナーカートリッジ６１１を使用するトナーカートリッジとして選択し、合わせて、品質が確認されていない品のトナーカートリッジを使用している旨の報告をユーザに行なう（ステップＳ２４）。具体的には、例えば、操作部７の表示パネル７１に品質が確認されていない品の使用である旨を表示してユーザに警告する。また、選択できるカートリッジが複数ある場合には、所定の基準により、一つのトナーカートリッジ６１１が選択される。
【００５１】
一方、トナーの有るカートリッジが無ければ（ステップＳ２３のＮｏ）、ＣＰＵ５１は、トナーが無い旨をユーザに報告する（ステップＳ２５）。具体的には、操作部７の表示パネル７１にトナー無しの表示を行うなどする。
【００５２】
以上説明したような内容でトナーカートリッジ６１１の選択処理が実行され、トナーカートリッジ６１１が選択された場合には（ステップＳ２２及びＳ２４）、その選択されたトナーカートリッジ６１１が感光体ドラム６２１に近接させられて現像が行われる。
【００５３】
このように、方法（２）では、現像装置６１に品質が保証された品のトナーカートリッジ６１１が装着されていてもトナーが無い場合には、品質が確認されていない品のトナーカートリッジ６１１にトナーが有る限り印刷を実行する。一方、前述した方法（１）では、品質が保証された品のトナーカートリッジ６１１が装着されていれば、そのトナーの有る無しに関わらず品質が確認されていない品での印刷は行わない。従って、方法（１）の方が、品質が確認されていない品の使用が少なくなり、品質が確認されていない品の使用防止の効果が大きく、一方、方法（２）では、印刷が停止されないで実行されることが多くなるので、ユーザの利便性が高いといえる。
【００５４】
図６は、方法（１）と方法（２）による処理の結果を例示した図である。図の左側の表は、本体側メモリ５４に格納される同定情報テーブル５４１の内容を示しており、中央の表は、トナーカートリッジ６１１の前記選択処理を行う際の各トナーカートリッジ６１１のトナーの有無を示している。また、図の右側の表は、同定情報テーブル５４１及びトナーの有無の状態が、上記各表に示されている状態であった場合の、方法（１）と方法（２）による処理のそれぞれの結果を示している。図にも示されている通り、“×”はそれに対応する「カートリッジ位置」に装着されているトナーカートリッジ６１１が選択されなかったことを示し、“○”はそれに対応する「カートリッジ位置」に装着されているトナーカートリッジ６１１が選択されたことを示している。
【００５５】
この例において、方法（１）では、前述の図４に従って処理が行われ、その結果、ステップＳ１４によるトナー無しの報告がなされ、印刷は行われない。一方、方法（２）では、前述の図５に従って処理が行われ、その結果、ステップＳ２４によるカートリッジの選択及びそのカートリッジによる印刷実行と品質が確認されていない品の使用の警告がなされる。
【００５６】
以上、同定情報に基づくトナーカートリッジ６１１の選択処理について２つの例を示したが、これらの他にも前述したトナーカートリッジのリサイクル回数を用いた選択方法等を取ることもできる。リサイクル回数を用いる場合には、例えば、品質が保証された品のトナーカートリッジ側メモリ６１２に格納されている当該カートリッジのリサイクル回数の情報等に基づいて、図３の（Ｂ）に例示したような同定情報テーブル５４１を作成しておき、カートリッジの選択処理時においては、リサイクル回数の少ないものから選択するという処理を行うこともできる。より具体的には、前述した方法（１）あるいは方法（２）において、複数の品質が保証された品のトナーカートリッジ６１１が選択対象となった場合に、換言すれば、トナーが有る品質が保証された品のトナーカートリッジが複数装着されている場合に、上記同定情報テーブル５４１を参照して、リサイクル回数の最も少ないカートリッジを選択する、という処理を行う。このような処理をすることで、高品質の印刷及び機器の劣化防止等をより確保することができる。
【００５７】
以上説明したように、本実施の形態例におけるプリンタ２では、複数の同色のトナーカートリッジ６１１が装着され、電源投入時やトナーカートリッジ６１１の装着時など所定のタイミングで装着しているそれらトナーカートリッジ６１１の同定情報が設定（認識）され、印刷実行時に当該設定された同定情報に基づいて使用するトナーカートリッジ６１１が選択される。そして、そのカートリッジ選択において、品質が保証された品が優先され、また、品質が保証された品のトナーカートリッジ６１１が選択される場合には、品質が確認されていない品のトナーカートリッジ６１１が装着されていてもその旨の警告を行なわない。また、品質が保証された品のトナーカートリッジ６１１が選択できない場合には、品質が確認されていない品のトナーカートリッジ６１１により、警告を出しながら印刷を実行することができる。
【００５８】
従って、同色のトナーカートリッジが複数個、装着可能な場合においても、品質が確認されていない品の使用について適切な対応が取れ、品質が保証された品を優先して使用するため、品質が確認されていない品の使用が極力防止される。よって、性能低下、機器劣化、及び早期故障を防ぐことができる。また、品質が保証された品が選択される限り警告が出ないので、ユーザの煩わしさを低減することができ、品質が保証された品のトナーカートリッジが使用できない場合でも印刷が可能となる場合があるので、ユーザにとって利便性が高い。
【００５９】
なお、前記実施の形態例においては、現像装置６１に装着可能な４個のトナーカートリッジを全て同色のトナーカートリッジとしたが、装着される同色のトナーカートリッジの数は、１〜３個であってもよい。かかる場合にも、それら同色のトナーカートリッジについて、前述したような選択処理が実行される。
【００６０】
また、前記実施の形態例においては、同定情報テーブル５４１がエンジン制御部５に格納され、前述したカートリッジの選択処理が、エンジン制御部５のＲＯＭ５２に格納されたプログラムに従ったエンジン制御部５のＣＰＵ５１の動作で実行されたが、かかるカートリッジの選択処理は、コントローラ部４で行われてもよい。この場合には、同定情報テーブル５４１を格納する本体側メモリ５４、プログラムを格納するＲＯＭ５２、及びＣＰＵ５１に相当するものが、コントローラ部４側に備えられ、コントローラ部４で選択され、使用することが決定したトナーカートリッジ６１１の情報（番号）が、コントローラ部４からエンジン制御部５に伝えられることになる。
【００６１】
本発明の保護範囲は、上記の実施の形態に限定されず、特許請求の範囲に記載された発明とその均等物に及ぶものである。
【図面の簡単な説明】
【００６２】
【図１】本発明を適用したプリンタの実施の形態例に係る構成図である。
【図２】本プリンタ２のエンジン６部分の機構を中心に示した構成図である。
【図３】同定情報テーブル５４１の内容を例示した図である。
【図４】方法（１）によるカートリッジの選択処理を例示したフローチャートである。
【図５】方法（２）によるカートリッジの選択処理を例示したフローチャートである。
【図６】方法（１）と方法（２）による処理の結果を例示した図である。
【符号の説明】
【００６３】
１  ホストコンピュータ、  ２  プリンタ、  ３  プリンタドライバ、  ４  コントローラ部、  ５  エンジン制御部、  ６  エンジン、  ７  操作部、  ５１  ＣＰＵ（選択手段、設定手段）、  ５２  ＲＯＭ、  ５３  ＲＡＭ、  ５４  本体側メモリ（記憶手段）、  ５５  Ｉ／Ｆ、  ６１  現像装置（現像手段）、  ６２  その他ユニット、  ５４１  同定情報テーブル、  ６１１  トナーカートリッジ（現像ユニット）、  ６１２  トナーカートリッジ側メモリ
【図１】
2005292771.tif 000003
【図２】
2005292771.tif 000004
【図３】
2005292771.tif 000005
【図４】
2005292771.tif 000006
【図５】
2005292771.tif 000007
【図６】
2005292771.tif 000008